(57)【要約】【課題】手ぶれ補正手段の着脱を容易にしたレンズ鏡筒を提供する。【解決手段】レンズ鏡筒の第３レンズ群３００に設けられる手ぶれ補正機構は、ＩＳコイル３０４、ＩＳコイル３０４を保持する３群ベース３０３、光軸方向においてＩＳコイル３０４と対向するように配置されるＩＳマグネット３０５、ＩＳマグネット３０５を保持する第３レンズ枠３０２、ＩＳマグネット３１５の磁界の変化を検出するホール素子３１９、ホール素子３１９を保持するＩＳホルダ３０８、ＩＳコイル３０４の端子部３０４ａと、アクチュエータ３１４，３１６の各端子部３１４ａ，３１４が設けられる３群ＦＰＣ３０９を有する。３群ＦＰＣ３０９において、端子部３０４ａ，３１４ａ，３１６ａが設けられる部分とホール素子３１９の端子が設けられる部分との間にヘミング曲げ部３０９ｂを設け、ＩＳホルダ３０８を３群ベース３０３に対して開閉可能とする。【選択図】図４
2014119500.tif 000002
【特許請求の範囲】
【請求項１】
手ぶれ補正手段を備えるレンズ鏡筒であって、
前記手ぶれ補正手段は、
コイルと、
前記コイルを保持する第１の保持部材と、
前記レンズ鏡筒の光軸方向において前記コイルと対向するように配置されるマグネットと、
前記マグネットを保持し、前記第１の保持部材に対して相対的に前記光軸方向において移動可能な第２の保持部材と、
前記光軸方向において前記マグネットと対向するように配置されて前記マグネットの磁界の変化を検出する磁界検出素子と、
前記磁界検出素子を保持する第３の保持部材と、
前記第１の保持部材に固定されると共に前記第３の保持部材が取り付けられ、前記第１の保持部材に固定される部分に前記コイルの端子部、絞りまたはシャッタを駆動する少なくとも１つの駆動部材の端子部が設けられ、前記第３の保持部材が取り付けられる部分に前記磁界検出素子の端子部が設けられたフレキシブルプリント基板とを有し、
前記フレキシブルプリント基板は、前記第３の保持部材が取り付けられた状態で、前記第３の保持部材を前記第１の保持部材に対して開閉可能にするヘミング曲げ部を有することを特徴とするレンズ鏡筒。
【請求項２】
前記コイルの端子部および前記駆動部材の端子部は、前記第１の保持部材を前記光軸方向に直交する平面に投影した投影部分のうちの前記駆動部材を含む半分の投影部分に配置されていることを特徴とする請求項１記載のレンズ鏡筒。
【請求項３】
前記第２の保持部材は、前記３の保持部材の前記第１の保持部材に対する開閉により着脱自在であることを特徴とする請求項１又は２に記載のレンズ鏡筒。
【請求項４】
前記駆動部材を覆い、前記第１の保持部材に固定されるカバー部材を更に有し、
前記カバー部材は、前記フレキシブルプリント基板における前記ヘミング曲げ部の位置を規制すると共に、前記ヘミング曲げ部での折り曲げを助ける係止部を有することを特徴とする請求項１乃至３のいずれか１項に記載のレンズ鏡筒。
【請求項５】
前記第３の保持部材は、前記カバー部材に係止される係止部と、光軸を挟んで対向する位置に設けられ、前記第１の保持部材に係合される爪部とを有することを特徴とする請求項４記載のレンズ鏡筒。
【請求項６】
前記第１の保持部材は、前記第１の保持部材に前記第３の保持部材を取り付ける際の回転軸と直交する方向に、前記レンズ鏡筒において前記第１の保持部材を前記光軸方向で案内するフォロアピンを有することを特徴とする請求項１乃至５のいずれか１項に記載のレンズ鏡筒。
【請求項７】
前記第１の保持部材は、前記フォロアピンの根元において前記第３の保持部材の位置決めを行う位置決め部を有することを特徴とする請求項６記載のレンズ鏡筒。
【請求項８】
請求項１乃至７のいずれか１項に記載のレンズ鏡筒を備えることを特徴とする撮像装置。
【発明の詳細な説明】
【技術分野】
【０００１】
本発明は、手ぶれ補正機能を有するレンズ鏡筒及び撮像装置に関する。
【背景技術】
【０００２】
近年、レンズ鏡筒を備えるデジタルカメラ等の撮像装置においては、機能を向上させつつ、コストを低減するための技術が要望されている。また、単に部品コストを低減するだけではなく、レンズ鏡筒の組立工数の削減などによる全体的なコストの低減を実現するための技術開発が急務となっている。
【０００３】
一方、撮像装置の小型化が進み、撮像装置に防振機能を搭載することが当たり前となった昨今では、防振ユニットは小型化されると共に複雑化している。そのため、防振ユニットの構成部品の組み立てや構成部品の取り外しの作業性の難易度が高くなっている。
【０００４】
そこで、防振ユニットに関して、防振用の駆動部材とシャッタ開閉用の駆動部材を同じ地板に配置することで、小さいスペースに複数の駆動部材を両立して配置することを可能とした技術が開示されている。例えば、手ぶれ補正機構を構成するコイルの端子部と光量調整機構を構成するアクチュエータの端子部とを、レンズ鏡筒の光軸と直交する平面の略半分の領域に集中して配置する構成が提案されている（特許文献１参照）。
【先行技術文献】
【特許文献】
【０００５】
【特許文献１】特開２０１０−１６４８８３号公報
【発明の概要】
【発明が解決しようとする課題】
【０００６】
しかしながら、上記従来技術では、手ぶれ補正機構において振動を検知するための振動検知センサと手ぶれ補正機構のコイル及び光量調整機構の端子部とが、光軸方向で対向する向きに配置されてしまう。そのため、これらの端子部及び振動検知センサと撮像装置の制御部とを接続するためのフレキシブルプリント基板が両面配線構造となってしまい、コストが高くなる。
【０００７】
本発明は、安価に、且つ、簡単な構成で、手ぶれ補正手段の着脱を容易にしたレンズ鏡筒を提供することを目的とする。
【課題を解決するための手段】
【０００８】
本発明に係るレンズ鏡筒は、手ぶれ補正手段を備えるレンズ鏡筒であって、前記手ぶれ補正手段は、コイルと、前記コイルを保持する第１の保持部材と、前記レンズ鏡筒の光軸方向において前記コイルと対向するように配置されるマグネットと、前記マグネットを保持し、前記第１の保持部材に対して相対的に前記光軸方向において移動可能な第２の保持部材と、前記光軸方向において前記マグネットと対向するように配置されて前記マグネットの磁界の変化を検出する磁界検出素子と、前記磁界検出素子を保持する第３の保持部材と、前記第３の保持部材が取り付けられ、前記第１の保持部材に固定される部分に前記コイルの端子部、絞りまたはシャッタを駆動する少なくとも１つの駆動部材の端子部が設けられ、前記第３の保持部材が取り付けられる部分に前記磁界検出素子の端子部が設けられたフレキシブルプリント基板とを有し、前記フレキシブルプリント基板は、前記第１の保持部材に固定されると共に前記第３の保持部材が取り付けられた状態で、前記第３の保持部材を前記第１の保持部材に対して開閉可能にするヘミング曲げ部を有することを特徴とする。
【発明の効果】
【０００９】
本発明によれば、安価に、且つ、簡単な構成で、手ぶれ補正手段の着脱を容易に行うことが可能になる。
【図面の簡単な説明】
【００１０】
【図１】本実施形態に係るデジタルカメラが備えるレンズ鏡筒の分解斜視図である。
【図２】図１のレンズ鏡筒を含む撮像部の、レンズ鏡筒が繰り出し位置にあるときの状態（撮影状態）を示す垂直断面図である。
【図３】図１のレンズ鏡筒を含む撮像部の、レンズ鏡筒が繰り込み位置にあるときの状態（沈胴状態）を示す垂直断面図である。
【図４】図１のレンズ鏡筒が有する第３レンズ群の構造を、第３レンズ群が備える３群ＦＰＣを展開して示す平面図である。
【図５】図１のレンズ鏡筒が有する第３レンズ群の手ぶれ補正機構側（ＩＳ側）の分解斜視図である。
【図６】図１のレンズ鏡筒が有する第３レンズ群のシャッタ・絞り機構側の分解斜視図である。
【図７】図１のレンズ鏡筒が有する第３レンズ群の構造を、第３レンズ群が備える３群ＦＰＣを展開して示す斜視図である。
【図８】図１のレンズ鏡筒が有する第３レンズ群の組立工程を示す第１の斜視図である。
【図９】図１のレンズ鏡筒が有する第３レンズ群の組立工程を示す第２の斜視図である。
【図１０】図１のレンズ鏡筒が有する第３レンズ群の組立工程を示す第３の斜視図である。
【図１１】図１０の組立工程の終了後の状態を示す斜視図である。
【発明を実施するための形態】
【００１１】
以下、本発明の実施形態について添付図面を参照して詳細に説明する。ここでは、本発明を所謂、コンパクトタイプのデジタルカメラに適用して説明することとする。
【００１２】
図１は、本実施形態に係るデジタルカメラが備えるレンズ鏡筒の分解斜視図である。また、図２は、図１のレンズ鏡筒を含む撮像部の垂直断面図であり、レンズ光軸を含み、レンズ鏡筒が繰り出し位置にあるときの状態（撮影状態）を示している。更に、図３は、図１のレンズ鏡筒を含む撮像部の垂直断面図であり、レンズ光軸を含み、レンズ鏡筒が繰り込み位置にあるときの状態（沈胴状態）を示している。
【００１３】
レンズ鏡筒は、第１レンズ群１００、第２レンズ群２００、第３レンズ群３００及び第４レンズ群４００と、第１レンズ群１００を保護するバリア群１５０とを備える。
【００１４】
第１レンズ群１００は、第１レンズ１０１と、第１レンズ１０１を保持する円筒状の第１レンズ枠１０２とを有する。第１レンズ枠１０２の内周面には、径方向内側に突出すると共に内周方向において等角度の間隔でカムピン１０２ａが配置されており、また、第１レンズ群１００を回転規制するキー溝（無符号）が設けられている。第１レンズ枠１０２の外周面には、バリア群１５０を回転規制するキー溝（無符号）が円周方向に等間隔で設けられている。なお、本実施形態では、図２及び図３に示すように、カムピン１０２ａを第１レンズ枠１０２に嵌合させているが、カムピン１０２ａは第１レンズ枠１０２において一体成形されていてもよい。
【００１５】
バリア群１５０は、バリア筒１５１、バリアドライブリング１５２、バリア開きばね１５３、バリア主羽根１５４、バリア副羽根１５５、キャップテープ１５６及びキャップ１５７を有する。キャップ１５７は、キャップテープ１５６によりバリア筒１５１の被写体側へ取り付けられる。バリア筒１５１の内周面には、径方向内側に突出するように内周方向において等間隔でカムピン１５１ａが設けられており、また、バリア群１５０を回転規制する直進キー（無符号）が設けられている。
【００１６】
第２レンズ群２００は、第２レンズ２０１と、第２レンズ２０１を保持する円筒状の第２レンズ枠２０２を有する。第２レンズ枠２０２の外周面には、径方向外側に突出するとし、周方向において等間隔でカムピン２０２ａが設けられており、また、第２レンズ群２００を回転規制する直進キー（無符号）が設けられている。
【００１７】
第３レンズ群３００の構成については、後に、図４乃至図１１を参照して詳細に説明するため、ここでは、図１乃至図３に符号を付した部材についてのみ説明する。第３レンズ群３００は、３群ベース３０３（第１の保持部材）、３群ベース３０３の結像面側に配置された光量調整部材であるシャッタ羽根３１０、セパレートシート３１１、ＮＤフィルタ３１２及びシャッタカバー３１３を有する。また、第３レンズ群３００は、３群ベース３０３の被写体側に配置されたＩＳコイル３０４、ＩＳボール３０５、ＩＳばね３０６、第３レンズ３０１、第３レンズ枠３０２（第２の保持部材）、キャップ３０７及びＩＳホルダ３０８（第３の保持部材）を備える。更に、第３レンズ群３００は、３群ＦＰＣ（フレキシブルプリント基板）３０９と、ＩＳマグネット３１５の磁界の変化を検知する磁界検出素子であるホール素子３１９を備える。
【００１８】
なお、本説明において「ＩＳ」とは、レンズ鏡筒内で手ぶれ補正を行う手ぶれ補正機構の略称であり、例えば、ＩＳコイル３０４は、手ぶれ補正機構用コイル（手ぶれ補正機構を構成するコイル）を指し、他の部品についても同様とする。
【００１９】
第１レンズ枠１０２の内側には、カム筒６０１の回転に対して直進プレート６０４に回転規制されつつ、第１レンズ群１００、第２レンズ群２００及び第３レンズ群３００の回転を規制して光軸方向へ直進案内する直進筒６０２が配置される。
【００２０】
直進筒６０２の外周面には、直進プレート６０４に設けられた直進キー（無符号）と嵌合して回転を規制するキー溝（無符号）が設けられており、また、被写体側には第１レンズ枠１０２のキー溝（無符号）と嵌合する直進キー（無符号）が設けられている。直進筒６０２の内周面には、第２レンズ枠２０２の直進キー（無符号）を回転規制するための貫通したキー溝（無符号）、３群ベース３０３の直進キー（無符号）を回転規制するための貫通したキー溝（無符号）を等角度間隔で備えている。
【００２１】
直進筒６０２の結像面側には、有害光を遮断する遮光板６０３が取り付けられる。直進筒６０２の外周面はカム筒６０１の内周面と嵌合し、直進筒６０２はカム筒６０１とバヨネット結合することにより、カム筒６０１に対して相対的に回転可能に保持される。
【００２２】
直進プレート６０４は、直進筒６０２の光軸方向に延びたキー溝（無符号）と嵌合する直進キー（無符号）と、カバー筒５０３のキー溝（無符号）嵌合する直進キー（無符号）とを有する。直進プレート６０４の円弧上の外周部には、カムカバー５０１とバヨネット結合してカムカバー５０１に対して相対的に回転可能に保持されると共に、固定筒７０１の内周面に設けられたキー溝（無符号）と嵌合して直進規制される直進キー（無符号）が等間隔で設けられている。
【００２３】
カム筒６０１の外周には、直進プレート６０４に回転規制され、カムカバー５０１により光軸方向に進退するカバー筒５０３が配置される。カバー筒５０３の内周面には、直進プレート６０４の直進キー（無符号）と嵌合するキー溝（無符号）が設けられている。
【００２４】
カバー筒５０３の外周面には、周方向に等間隔で径方向外側に突出するように配置され、カムカバー５０１の内面に設けられたカム溝５０１ｂに挿入されるカムピン５０３ａが設けられている。カバー筒５０３の被写体側には、カバー筒５０３の補強と装飾を兼ねるカムカバーリング５０４が取り付けられる。
【００２５】
カムカバー５０１の外周面には、周方向に等間隔で径方向外側に突出するように配置され、固定筒７０１の内周面に設けられたカム溝７０１ｂに挿入されるカムピン５０１ａと、ギア７１５と連結するギア部（無符号）が設けられている。カムカバー５０１の内周面には、カバー筒５０３のカムピン５０３ａが挿入されるカム溝５０１ｂが等間隔に設けられており、また、カム筒６０１の回転キー（無符号）と嵌合するキー溝（無符号）が設けられている。カムカバー５０１の被写体側には、カムカバー５０１の補強と装飾を兼ねるカム筒リング５０２が取り付けられる。
【００２６】
カム筒６０１の内周面には、第２レンズ枠２０２のカムピン２０２ａが挿入されるカム溝６０１ｃと、３群ベース３０３のフォロアピン３０３ａが挿入されるカム溝６０１ｄとがそれぞれ、周方向に等間隔で設けられている。カム筒６０１の外周面には、第１レンズ枠１０２のカムピン１０２ａが挿入されるカム溝６０１ａと、バリア筒１５１のカムピン１５１ａが挿入されるカム溝６０１ｂとがそれぞれ、周方向に等間隔で設けられている。また、カム筒６０１の外周面には、カムカバー５０１のキー溝（無符号）と嵌合する回転キー（無符号）が設けられている。
【００２７】
カム筒６０１は、カバー筒５０３とバヨネット結合しており、直進筒６０２、直進プレート６０４及びカバー筒５０３の作用により、カバー筒５０３と回転可能に保持されると共にカムカバー５０１の作用により光軸方向で進退する。カムカバー５０１の外周には、固定筒７０１が配置される。固定筒７０１の内周面には、直進プレート６０４の直進キー（無符号）と嵌合して回転規制するキー溝（無符号）が設けられ、また、カムカバー５０１のカムピン５０１ａが挿入されるカム溝７０１ｂが等間隔で設けられている。また、固定筒７０１の被写体側には、レンズ鏡筒内への異物侵入を防止する防砂シート７０４が配置される。
【００２８】
レンズ鏡筒は、第４レンズ群４００の駆動源４１０、第４レンズ群４００のメインガイド４０４、レンズ鏡筒の駆動源７０３、駆動源７０３の動力をカムカバー５０１へ伝えるギア７１１，７１２，７１３，７１４，７１５を保持するセンサホルダ７００を有する。ギア７１１〜７１４は、ギアカバー７０２によってセンサホルダ７００に保持される。ギア７１５は、固定筒７０１とセンサホルダ７００とにより保持される。
【００２９】
第４レンズ群４００は、第４レンズ４０１と第４レンズ枠４０２とを有する。駆動源４１０には、スクリュー４１１と、スクリュー４１１と螺合して駆動源４１０の回転により光軸方向へ進退するナット４１２とが取り付けられている。第４レンズ群４００は、メインガイド４０４とセンサホルダ７００に設けられたサブガイド（無符号）とにより回転規制された状態で、第４レンズ枠４０２とナット４１２とを当接させるスプリング４０３の効果によりナット４１２と共に光軸方向で移動可能となっている。
【００３０】
センサホルダ７００には、撮像素子８００が取り付けられる。撮像素子８００は、センサラバー８１０の弾性を利用して保護ガラス８２０をセンサホルダ７００に押し付けるようにして、ネジ８３０によりセンサホルダ７００に固定される。センサホルダ７００と固定筒７０１とはネジ８４０により固定され、これによりレンズ鏡筒はユニット化されている。
【００３１】
レンズ鏡筒が図３の沈胴状態から図２の撮影状態に移行するときには、先ず、駆動源７０３の動力によりギア７１１〜７１５が回転し、カムカバー５０１が回転駆動する。カムカバー５０１は固定筒７０１の内側と嵌合しており、その内側に設けられたカム溝７０１ｂの作用により、光軸方向の被写体側へ回転しながら繰り出される。カムカバー５０１が回転すると、カム筒６０１が、カムカバー５０１、直進プレート６０４、直進筒６０２及びカバー筒５０３の作用により、光軸方向の被写体側へ回転しながら繰り出される。
【００３２】
直進筒６０２は、バヨネット結合によりカム筒６０１に相対的に回転可能な状態で保持されると共に直進プレート６０４により回転規制されているため、カム筒６０１が回転すると光軸方向の被写体側へ直進移動しながら繰り出される。カム筒６０１にカム結合している第１レンズ群１００、バリア群１５０、第２レンズ群２００及び第３レンズ群３００は、カム筒６０１と直進筒６０２の作用により、光軸方向の被写体側へ直進移動して繰り出される。
【００３３】
第４レンズ群４００は、駆動源４１０に設けられたスクリュー４１１とナット４１２との作用により光軸方向へ移動可能な状態で保持されると共に、メインガイド４０４とサブガイド（無符号）とによって回転規制されている。そのため、第４レンズ群４００は、カム筒６０１の移動とは関係なく、独立して光軸方向の被写体側へ直進移動しながら繰り出される。
【００３４】
以上の通りに、カムカバー５０１が回転することにより各レンズ群が沈胴位置から被写体側に向けて繰り出すことにより、レンズ鏡筒は沈胴状態から撮影状態へ移行する。なお、レンズ鏡筒は、固定筒７０１、カムカバー５０１及びカム筒６０１の作用により、適宜、これらの相互間の距離が調整されてズーミングが行われる。
【００３５】
次に、図４乃至図１１を参照して、第３レンズ群３００に設けられた手ぶれ補正機構（ＩＳ）について詳細に説明する。
【００３６】
先ず、第３レンズ群３００の構成について説明する。第３レンズ群３００は、手ぶれ補正機構とシャッタ・絞り機構とを備えており、図４は、第３レンズ群３００の構造を、第３レンズ群３００が備える３群ＦＰＣ３０９を展開して示す平面図である。また、図５は、第３レンズ群３００の手ぶれ補正機構側（ＩＳ側）の分解斜視図である。図６は、第３レンズ群３００のシャッタ・絞り機構側の分解斜視図である。
【００３７】
３群ベース３０３は、第３レンズ群３００の基台となる部材であり、カム筒６０１のカム溝６０１ｄに嵌合する３本のフォロアピン３０３ａを備えている。カム溝６０１ｄとフォロアピン３０３ａとの嵌合により、カム筒６０１の駆動に従って、３群ベース３０３は光軸方向で案内される。また、３群ベース３０３には、シャッタ羽根３１０を駆動する駆動部材であるシャッタアクチュエータ３１４と絞りアクチュエータ３１６とが取り付けられている。絞りアクチュエータ３１６とシャッタアクチュエータ３１４には、被写体側からこれらを覆うカバー部材であるアクチュエータカバー３１７が被せられ、アクチュエータカバー３１７は、ねじ３１８により３群ベース３０３に締め付けられて固定される。これにより、絞りアクチュエータ３１６とシャッタアクチュエータ３１４は３群ベース３０３に固定される。
【００３８】
シャッタアクチュエータ３１４と絞りアクチュエータ３１６はそれぞれ、ＩＳコイル３０４に対して光軸を挟んで対向する位置に配置されている。なお、シャッタアクチュエータ３１４と絞りアクチュエータ３１６は共に、通電方向の正逆転により駆動アームの停止位置が切り替わる２点切り替え方式のアクチュエータとして構成されている。
【００３９】
絞りアクチュエータ３１６は、３群ＦＰＣ３０９から絞りアクチュエータ３１６に通電するための（通電用）端子部３１６ａを有する。シャッタアクチュエータ３１４は、３群ＦＰＣ３０９からシャッタアクチュエータ３１４に通電するための（通電用）端子部３１４ａを有する。
【００４０】
第３レンズ枠３０２は、ＩＳボール３０５を介して光軸に直交する平面内で、第３レンズ３０１を３群ベース３０３に対して相対的に移動可能に保持している。第３レンズ枠３０２の被写体側には、光軸方向へ延出させて設けた３箇所の爪を介して、被写体側からの有害光をカットするキャップ３０７が固定されている。また、第３レンズ枠３０２には、ＩＳマグネット３１５が一体的に取り付けられて保持されており、第３レンズ枠３０２に設けられたフック３０２ａにはＩＳばね３０６の一端がそれぞれ掛けられている。ＩＳばね３０６の他端は、３群ベース３０３のフック３０３ｂに掛けられる。
【００４１】
ＩＳコイル３０４は、ＩＳマグネット３１５に対して光軸方向において対向する位置に配置されている。ＩＳコイル３０４は、空芯コイルで構成され、３群ベース３０３に形成された窪みに接着され固定されている。ＩＳコイル３０４を固定するための３群ベース３０３の窪みは、３群ベース３０３における絞りアクチュエータ３１６とシャッタアクチュエータ３１４が配置された位置と光軸を挟んでほぼ対向する位置に設けられている。
【００４２】
なお、ＩＳコイル３０４は、ボビンを有するユニットではなく、ＩＳコイル３０４から直接配線が伸びる構造となっている。これにより、絞りアクチュエータ３１６とシャッタアクチュエータ３１４と配置された各位置に対して、光軸を挟んでほぼ対向する位置に配置することが可能となり、また、ＩＳコイル３０４の端子部３０４ａのレイアウトの自由度を高めることが可能となる。
【００４３】
３群ＦＰＣ３０９は、ＩＳホルダ３０８が３群ＦＰＣ３０９に対して半田付けされた状態でＩＳホルダ３０８を３群ベース３０３に対して開閉可能とする開閉部３０９ａを有する。そして、第３レンズ枠３０２は、ＩＳホルダ３０８の開閉により３群ベース３０３に対して着脱自在となっている。
【００４４】
ここで、本実施形態では、ＩＳコイル３０４の端子部３０４ａとシャッタアクチュエータ３１４と絞りアクチュエータ３１６のそれぞれの端子部３１４ａ，３１６ａとが、３群ベース３０３を光軸方向に直交する平面に投影した投影部分のうちのシャッタアクチュエータ３１４と絞りアクチュエータ３１６とを含む半分の投影部分に配置されている。なお、ホール素子３１９は、３群ＦＰＣ３０９に接続されると共に、ＩＳホルダ３０８に対して圧入されることで精度良く位置決めされる構成となっている。
【００４５】
図５に示した各部品を組み上げた状態にある３群ベース３０３の結像面側には、図６に示すように、３群ベース３０３から順に、シャッタ羽根３１０、セパレートシート３１１、ＮＤフィルタ３１２及びシャッタカバー３１３が配置されている。
【００４６】
続いて、第３レンズ群３００における３群ベース３０３周りの組立工程について説明する。図７は、第３レンズ群３００の構造を第３レンズ群３００が備える３群ＦＰＣ３０９を展開して示す斜視図であり、図４の平面図を斜視図に変換して示したものである。図８は、第３レンズ群３００の組立工程を示す第１の斜視図であり、第３レンズ枠３０２を３群ベース３０３へ挿入する前の状態を示している。図９は、第３レンズ群３００の組立工程を示す第２の斜視図であり、第３レンズ枠３０２を３群ベース３０３へ挿入した後の状態を示している。図１０は、第３レンズ群３００の組立工程を示す第３の斜視図であり、ＩＳホルダ３０８を３群ベース３０３へ取り付ける工程を示している。図１１は、図１０の組立工程の終了後の状態を示す斜視図であり、３群ベース３０３に対して、第３レンズ枠３０２、ＩＳホルダ３０８及び３群ＦＰＣ３０９が取り付けられた状態を示している。
【００４７】
３群ベース３０３へ第３レンズ枠３０２を取り付ける際には、先ず、図７に示した状態からＩＳホルダ３０８が取り付けられた３群ＦＰＣ３０９をシャッタアクチュエータ３１４の端子部３１４ａの近傍から折り曲げて、ＩＳホルダ３０８を持ち上げる。ここで、アクチュエータカバー３１７は３群ＦＰＣ３０９の折り曲げ位置を規制すると共に折り曲げを助ける係止部（フック）３１７ａを備えている。そのため、３群ＦＰＣ３０９の開閉をスムーズに行うことができ、また、絞りアクチュエータ３１６とシャッタアクチュエータ３１４のそれぞれの端子部３１４ａ，３１６ａとＩＳコイル３０４の端子部３０４ａに対する負荷が軽減される。
【００４８】
図８の状態となった後に、ＩＳボール３０５を所定の位置へ配置する。そして、第３レンズ枠３０２を３群ベース３０３へ挿入し、第３レンズ枠３０２のフック３０２ａと３群ベース３０３のフック３０３ｂにＩＳばね３０６を取り付ける。これにより、図９の状態となり、第３レンズ３０１は３群ベース３０３に対して相対的に移動可能に保持される。続いて、図９及び図１０に示すように３群ＦＰＣ３０９をたたみながら、ＩＳホルダ３０８とホール素子３１９とを３群ベース３０３に取り付け、これにより、図１１に示す状態が得られる。なお、ＩＳボール３０５や第３レンズ枠３０２（第３レンズ３０１）の取り出しは、上記の手順と逆の手順によって行うことができる。
【００４９】
ここで、絞りアクチュエータ３１６とシャッタアクチュエータ３１４のそれぞれの端子部３１４ａ，３１６ａ、ＩＳコイル３０４の端子部３０４ａ及びホール素子３１９は、組立状態で相反する向きに配置される。そのため、従来例のＦＰＣ（３群ＦＰＣ３０９に対応する）は両面実装になっており、そのためにコストが高くなってしまうという問題があった。
【００５０】
これに対して本実施形態では、３群ＦＰＣ３０９は、３群ＦＰＣ３０９において端子部３１４ａ，３１６ａ，３０４ａが設けられる部分と、ホール素子３１９が設けられる部分との間にＩＳホルダ３０８を開閉するための開閉部３０９ａを有している。そして、開閉部３０９ａの一部にヘミング曲げ（１８０度曲げ）部３０９ｂを設けている。そのため、ヘミング曲げ部３０９ｂで３群ＦＰＣ３０９を折り曲げ、第３レンズ枠３０２に蓋をするような形でＩＳホルダ３０８を取り付けることで、端子部３１４ａ，３１６ａ，３０４ａとホール素子３１９とを組立状態で相反する向きに配置することができる。また、ヘミング曲げ部３０９ｂを有することで、組立状態で相反する向きに配置される端子部３１４ａ，３１６ａ，３０４ａとホール素子３１９とを同一面上に配置することが可能となる。よって、３群ＦＰＣ３０９のようにＦＰＣの片面実装化が可能となり、ＦＰＣのコストを削減することが可能となる。
【００５１】
ところで、図４及び図１１に示すように、３群ベース３０３に対して、光軸と直交し、アクチュエータ側とＩＳコイル側とを略２分する軸をＹ軸とすると、Ｙ軸は、３群ＦＰＣ３０９とＩＳホルダ３０８の３群ベース３０３への組み付け時の回転中心軸である。また、デジタルカメラを正姿勢（水平台に載置した状態）では、Ｙ軸は鉛直方向と平行となる（図１参照）。３群ベース３０３において、フォロアピン３０３ａの１つは、Ｙ軸を挟んだアクチュエータ側とは反対側において、Ｙ軸及び光軸と略直交するＸ軸方向（水平方向と平行）に突出するように配置されている。図４及び１０に示すように、３群ベース３０３には、Ｘ軸方向に突出したフォロアピン３０３ａの根元において、ＩＳホルダ３０８の鉛直方向の位置決めを行う位置決め部３０３ｃが設けられている。また、３群ベース３０３には、位置決め部３０３ｃの近傍に、ＩＳホルダ３０８の水平方向の位置決めを行う位置決めボス３０３ｄが設けられている。
【００５２】
これに対して、ＩＳホルダ３０８は、アクチュエータカバー３１７への係止部３０８ａと３群ベース３０３への爪部３０８ｂを備えており、また、垂直方向の位置決め溝３０８ｃと水平方向の位置決め穴３０８ｄを備えている。そして、係止部３０８ａと爪部３０８ｂとは、光軸を挟んで対向する位置に設けられている。
【００５３】
したがって、ＩＳホルダ３０８を３群ベース３０３へ組み付ける際には、先ず、ＩＳホルダ３０８の係止部３０８ａをアクチュエータカバー３１７の係止部３１７ａに掛ける。その状態で、図９及び図１０に示す矢印の回転軸を中心としてＩＳホルダ３０８を回動させて、ＩＳホルダ３０８の爪部３０８ｂを３群ベース３０３のフック３０３ｅへ係合させる。このとき、前述の構成から、フォロアピン３０３ａはＩＳホルダ３０８の回転を阻害することがなく、ＩＳホルダ３０８は組み付けと同時に位置決めされる。つまり、ＩＳホルダ３０８の爪部３０８ｂは係止部３０８ａと光軸を挟んで対向する位置に配置されていることで、スムーズな組み付けが可能となる。
【００５４】
また、係止部３０８ａは、ねじ３１８で固定されたアクチュエータカバー３１７の係止部３１７ａに掛けられる。また、光軸を挟んで対向する位置に係止部３０８ａと爪部３０８ｂを配置することで、３群ベース３０３への取り付けを強力に行うことができる。これにより、レンズ鏡筒に外部からの衝撃が加わっても、３群ベース３０３に収容される第３レンズ枠３０２やＩＳボール３０５等の内容物が飛び出してしまうことが防止される。
【００５５】
以上の説明の通り、本実施形態に係るレンズ鏡筒では、安価で且つ簡単な構成で、手ぶれ補正機構を構成する第３レンズ枠３０２やＩＳボール３０５の着脱を容易に行うことができる。
【００５６】
以上、本発明の好ましい実施形態について説明したが、本発明はこれらの実施形態に限定されず、その要旨の範囲内で種々の変形及び変更が可能である。
【符号の説明】
【００５７】
３００    第３レンズ群
３０１    第３レンズ
３０２    第３レンズ枠
３０３    ３群ベース
３０４    ＩＳコイル
３０４ａ    端子部
３０８    ＩＳホルダ
３０９    ３群ＦＰＣ（フレキシブルプリント基板）
３０９ａ    開閉部
３０９ｂ    ヘミング曲げ部
３１４    シャッタアクチュエータ
３１４ａ    端子部
３１５    ＩＳマグネット
３１６    絞りアクチュエータ
３１６ａ    端子部
３１９    ホール素子
【図１】
2014119500.tif 000003
【図２】
2014119500.tif 000004
【図３】
2014119500.tif 000005
【図４】
2014119500.tif 000006
【図５】
2014119500.tif 000007
【図６】
2014119500.tif 000008
【図７】
2014119500.tif 000009
【図８】
2014119500.tif 000010
【図９】
2014119500.tif 000011
【図１０】
2014119500.tif 000012
【図１１】
2014119500.tif 000013
【手続補正書】
【提出日】平成25年8月27日(2013.8.27)
【手続補正２】
【補正対象書類名】明細書
【補正対象項目名】０００１
【補正方法】変更
【補正の内容】
【０００１】
本発明は、手ぶれ補正機能を有するレンズ鏡筒に関する。
【手続補正３】
【補正対象書類名】明細書
【補正対象項目名】０００８
【補正方法】変更
【補正の内容】
【０００８】
上記目的を達成するために、本発明のレンズ鏡筒は、コイル及び前記コイルと対向するように配置されたマグネットを有するぶれ補正用アクチュエータと、前記コイル及び前記マグネットの一方を保持する第１の保持部材と、前記コイル及び前記マグネットの他方を保持し、前記第１の保持部材に対して光軸直交方向に移動可能な第２の保持部材と、前記第２の保持部材の光軸直交方向の変位量を検出するセンサと、前記センサを保持する第３の保持部材と、前記第１の保持部材と前記第３の保持部材が取り付けられるフレキシブルプリント基板とを有し、前記第１の保持部材に配置されたコイルの端子と前記第３の保持部材に配置されたセンサの端子は、前記フレキシブルプリント基板の同一面側の位置し、前記第３の保持部材は、前記第１の保持部材に対して折り曲げられていることを特徴とする。
【手続補正４】
【補正対象書類名】特許請求の範囲
【補正対象項目名】全文
【補正方法】変更
【補正の内容】
【特許請求の範囲】
【請求項１】
コイル及び前記コイルと対向するように配置されたマグネットを有するぶれ補正用アクチュエータと、
前記コイル及び前記マグネットの一方を保持する第１の保持部材と、
前記コイル及び前記マグネットの他方を保持し、前記第１の保持部材に対して光軸直交方向に移動可能な第２の保持部材と、
前記第２の保持部材の光軸直交方向の変位量を検出するセンサと、
前記センサを保持する第３の保持部材と、
前記第１の保持部材と前記第３の保持部材が取り付けられるフレキシブルプリント基板とを有し、
前記第１の保持部材に配置されたコイルの端子と前記第３の保持部材に配置されたセンサの端子は、前記フレキシブルプリント基板の同一面側に位置し、
前記第３の保持部材は、前記第１の保持部材に対して折り曲げられていることを特徴とするレンズ鏡筒。
【請求項２】
前記第３の保持部材は、前記第１の保持部材に取り付けられていることを特徴とする請求項１記載のレンズ鏡筒。
【請求項３】
前記レンズ鏡筒は、絞り駆動用アクチュエータと、シャッタ駆動用アクチュエータと、を備え、
前記第１の保持部材は、前記コイル及び前記コイルの端子及び前記絞り駆動用アクチュエータの端子及び前記シャッタ駆動用アクチュエータの端子を保持し、
前記コイルの端子及び前記絞り駆動用アクチュエータの端子及び前記シャッタ駆動用アクチュエータの端子は、前記第１の保持部材を光軸方向に直交する平面に投影した投影した場合、光軸を通過する直線を定義したとき、片側に全て設けられていることを特徴とする請求項１又は２記載のレンズ鏡筒。
【請求項４】
前記第３の保持部材を前記第１の保持部材に対して開いた場合、前記第１の保持部材及び前記第３の保持部材を前記光軸方向に直交する平面に投影した投影したとき、前記第３の保持部材は、前記光軸を通過する直線を基準として、前記第１の保持部材と反対側に配置されることを特徴とする請求項１乃至３のいずれか１項に記載のレンズ鏡筒。
【請求項５】
前記第２の保持部材は、前記第３の保持部材の前記第１の保持部材に対する開閉により着脱自在であることを特徴とする請求項１乃至４のいずれか１項に記載のレンズ鏡筒。
【請求項６】
前記第３の保持部材を前記第１の保持部材に対して開いた状態で、前記第１の保持部材に配置されたコイルの端子と前記第３の保持部材に配置されたセンサの端子は、同一面側の位置する請求項１乃至５のいずれか１項に記載のレンズ鏡筒。
【請求項７】
前記フレキシブルプリント基板は、前記第３の保持部材を前記第１の保持部材に対して開閉可能にするヘミング曲げ部を有する請求項１乃至６のいずれか１項に記載のレンズ鏡筒。